(57)【要約】【課題】  各々の車両に搭載された車載器などの移動通信装置（通信ノード）において、センター側サーバへ問い合わせることなく、効率よく情報取得する。【解決手段】  路側装置と複数の移動通信装置とを包含する移動通信システムであって、前記路側装置が、予め定められた範囲内に位置する移動通信装置間で送受信されることを目的として提供されるトークンパケットを生成し、無線により提供し、前記各移動通信装置が、前記路側装置又は他の移動通信装置から提供されるトークンパケットを、自己の位置に応じて受信し、自己の現在位置と予め定められた範囲とを比較し、自己の現在位置が前記予め定められた範囲内である場合、前記トークンパケットを更新し、この更新後のトークンパケットを無線により提供し、一方、自己の現在位置が前記予め定められた範囲内でない場合、前記トークンパケットを更新することなく無線により提供する。【選択図】図１
2005269415.tif 000002
【特許請求の範囲】
【請求項１】
路側装置と複数の移動通信装置とを包含する移動通信システムであって、
前記路側装置が、
予め定められた範囲内に位置する移動通信装置間で送受信されることを目的として提供されるパケットであってその予め定められた範囲を特定するためのデータを含むトークンパケットを生成する手段と、
前記生成されたトークンパケットを移動通信装置へ無線により提供する手段と、
を備え、
前記各移動通信装置が、
前記路側装置又は他の移動通信装置から無線により提供されるトークンパケットを、自己の位置に応じて受信する手段と、
自己の現在位置と前記予め定められた範囲とを比較する手段と、
自己の現在位置が前記予め定められた範囲内である場合、前記トークンパケットを更新し、この更新後のトークンパケットを他の移動通信装置へ無線により提供する手段と、
自己の現在位置が前記予め定められた範囲内でない場合、前記トークンパケットを更新することなく他の移動通信装置へ無線により提供する手段と、を備える移動通信システム。
【請求項２】
無線による通信を行う移動通信装置であって、
予め定められた範囲内に位置する移動通信装置間で送受信されることを目的として提供されるパケットであってその予め定められた範囲を特定するためのデータを含むトークンパケットを、自己の位置に応じて受信する手段と、
自己の現在位置と前記予め定められた範囲とを比較する手段と、
自己の現在位置が前記予め定められた範囲内である場合、前記トークンパケットを更新し、この更新後のトークンパケットを他の移動通信装置へ無線により提供する手段と、
自己の現在位置が前記予め定められた範囲内でない場合、前記トークンパケットを更新することなく他の移動通信装置へ無線により提供する手段と、を備える移動通信装置。
【請求項３】
前記トークンパケットには、前記更新により所定コンテンツ取得先アドレス又は所定コンテンツ自体が書き込まれる、
請求項２に記載の移動通信装置。
【請求項４】
請求項２記載の移動通信装置を搭載した車両。
【請求項５】
無線による通信を行う移動通信方法であって、
予め定められた範囲内に位置する移動通信装置間で送受信されることを目的として提供されるパケットであってその予め定められた範囲を特定するためのデータを含むトークンパケットを、自己の位置に応じて受信し、
自己の現在位置と前記予め定められた範囲とを比較し、
自己の現在位置が前記前記予め定められた範囲内である場合、前記トークンパケットを更新し、この更新後のトークンパケットを他の移動通信装置へ無線により提供し、
自己の現在位置が前記前記予め定められた範囲内でない場合、前記トークンパケットを更新することなく他の移動通信装置へ無線により提供する、移動通信方法。
【請求項６】
無線による通信を行う移動通信装置を、
予め定められた範囲内に位置する移動通信装置間で送受信されることを目的として提供されるパケットであってその予め定められた範囲を特定するためのデータを含むトークンパケットを、自己の位置に応じて受信する手段、
自己の現在位置と前記予め定められた範囲とを比較する手段、
自己の現在位置が前記予め定められた範囲内である場合、前記トークンパケットを更新し、この更新後のトークンパケットを他の移動通信装置へ無線により提供する手段、
自己の現在位置が前記予め定められた範囲内でない場合、前記トークンパケットを更新することなく他の移動通信装置へ無線により提供する手段、として機能させるためのプログラム。
【発明の詳細な説明】
【技術分野】
【０００１】
本発明は、路側装置と複数の移動通信装置とを包含する移動通信システムであって予め定められた範囲内に位置する移動通信装置間でトークンパケットを送受信する技術に関する。
【背景技術】
【０００２】
従来、常時接続されている通信環境において、各々の車両に搭載された車載器などの移動通信装置（通信ノード）がセンター側サーバから各種の情報を取得するシステムが知られている。
【０００３】
しかしながら、従来システムにおいては、常時接続されていても、各々の通信ノードがセンター側サーバで一元管理されており、地域固有の情報や繰り返し利用される共有コンテンツもその都度、センター側サーバに問い合わせる必要があり、効率よく情報を得ることができないという問題がある。
【０００４】
なお、従来技術に関連すると思われるものとして例えば特許文献１、特許文献２、及び特許文献３がある。
【特許文献１】特開平１０−１８７４８３号公報
【特許文献２】特許第３０９６４０９号公報
【特許文献３】特開平８−１５４２３３号公報
【発明の開示】
【発明が解決しようとする課題】
【０００５】
本発明の課題は、各々の車両に搭載された車載器などの移動通信装置（通信ノード）において、センター側サーバへ問い合わせることなく、効率よく情報取得できるようにすることにある。
【課題を解決するための手段】
【０００６】
本発明は、上記課題を解決するためになされたものであり、路側装置と複数の移動通信装置とを包含する移動通信システムであって、前記路側装置が、予め定められた範囲内に位置する移動通信装置間で送受信されることを目的として提供されるパケットであってその予め定められた範囲を特定するためのデータを含むトークンパケットを生成する手段と、前記生成されたトークンパケットを移動通信装置へ無線により提供する手段と、を備え、前記各移動通信装置が、前記路側装置又は他の移動通信装置から無線により提供されるトークンパケットを、自己の位置に応じて受信する手段と、自己の現在位置と前記予め定められた範囲とを比較する手段と、自己の現在位置が前記予め定められた範囲内である場合、前記トークンパケットを更新し、この更新後のトークンパケットを他の移動通信装置へ無線により提供する手段と、自己の現在位置が前記予め定められた範囲内でない場合、前記トークンパケットを更新することなく他の移動通信装置へ無線により提供する手段と、を備える構成とした。
【０００７】
本発明によれば、予め定められた範囲内に位置する、車両に搭載された車載器などの移動通信装置（通信ノード）間で送受信されることを目的として提供されるトークンパケットが用いられる。このトークンパケットは、これを受信した移動通信装置において、一定条件の下で更新される。例えば、前記更新によりトークンパケットに所定コンテンツ取得先アドレス又は所定コンテンツ自体が書き込まれる。
【０００８】
従って、各移動通信装置においては、このトークンパケットを受信することで、所定コンテンツ取得先アドレス又は所定コンテンツ自体を取得できる。所定コンテンツを取得するために、センター側サーバへ問い合わせる必要はない。
【０００９】
また、本発明は装置の発明として次のように特定することができる。
【００１０】
無線による通信を行う移動通信装置であって、予め定められた範囲内に位置する移動通信装置間で送受信されることを目的として提供されるパケットであってその予め定められた範囲を特定するためのデータを含むトークンパケットを、自己の位置に応じて受信する手段と、自己の現在位置と前記予め定められた範囲とを比較する手段と、自己の現在位置が前記予め定められた範囲内である場合、前記トークンパケットを更新し、この更新後のトークンパケットを他の移動通信装置へ無線により提供する手段と、自己の現在位置が前記予め定められた範囲内でない場合、前記トークンパケットを更新することなく他の移動通信装置へ無線により提供する手段と、を備える移動通信装置。
【００１１】
また、上記移動通信装置においては、例えば、前記トークンパケットには、前記更新により所定コンテンツ取得先アドレス又は所定コンテンツ自体が書き込まれる。
【００１２】
また、本発明は上記の移動通信装置を搭載した車両として特定することができる。
【００１３】
また、本発明は方法の発明として次のように特定することができる。
【００１４】
無線による通信を行う移動通信方法であって、予め定められた範囲内に位置する移動通信装置間で送受信されることを目的として提供されるパケットであってその予め定められた範囲を特定するためのデータを含むトークンパケットを、自己の位置に応じて受信し、自己の現在位置と前記予め定められた範囲とを比較し、自己の現在位置が前記前記予め定められた範囲内である場合、前記トークンパケットを更新し、この更新後のトークンパケットを他の移動通信装置へ無線により提供し、自己の現在位置が前記前記予め定められた範囲内でない場合、前記トークンパケットを更新することなく他の移動通信装置へ無線により提供する、移動通信方法。
【００１５】
また、本発明はプログラムの発明として次のように特定することができる。
【００１６】
無線による通信を行う移動通信装置を、予め定められた範囲内に位置する移動通信装置間で送受信されることを目的として提供されるパケットであってその予め定められた範囲を特定するためのデータを含むトークンパケットを、自己の位置に応じて受信する手段、自己の現在位置と前記予め定められた範囲とを比較する手段、自己の現在位置が前記予め定められた範囲内である場合、前記トークンパケットを更新し、この更新後のトークンパケットを他の移動通信装置へ無線により提供する手段、自己の現在位置が前記予め定められた範囲内でない場合、前記トークンパケットを更新することなく他の移動通信装置へ無線により提供する手段、として機能させるためのプログラム。
【００１７】
また、本発明は上記プログラムを記録したコンピュータ読み取り可能な記録媒体としても特定できる。
【発明の効果】
【００１８】
本発明によれば、各々の車両に搭載された車載器などの移動通信装置（通信ノード）において、センター側サーバへ問い合わせることなく、効率よく情報取得することが可能となる。
【発明を実施するための最良の形態】
【００１９】
以下、本発明の一実施形態である移動通信システムについて図面を参照しながら説明する。
（本システムの概略構成）
図１は、移動通信システムの概略構成を説明するための図である。
【００２０】
図１に示すように、本システムは、（１つ又は複数の）移動通信装置１０と路側装置２０とを包含する。移動通信装置１０は、移動体（図１中車両を例示）に搭載され、移動体の移動に伴って移動し、その位置に応じて他の移動通信装置１０や路側装置２０との間で、トークンと呼ぶパケット（本発明のトークンパケットに相当）などを送受信する。路側装置２０は、路側に固定設置され、移動通信装置１０との間で、トークンを送受信する。
【００２１】
トークンは、予め定められた範囲内に位置する移動通信装置１０間で送受信されることを目的として提供されるパケットであってその予め定められた範囲を特定するためのデータ（例えば特定地域の境界線を定義する座標列データ）を含む。トークンは、路側装置２０において生成され、移動通信装置１０へ無線により提供される。
【００２２】
移動通信装置１０においては、そのトークンを自己の位置に応じて受信し、自己の現在位置とそのトークンに含まれる予め定められた範囲とを比較する。そして、自己の現在位置が予め定められた範囲内である場合、トークンを更新し（例えば、この更新によりその予め定められた範囲に関するコンテンツなどの所定コンテンツ取得先アドレス、又はその所定コンテンツ自体がトークンに書き込まれる）、この更新後のトークンを他の移動通信装置１０へ無線により提供する。一方、自己の現在位置が前記予め定められた範囲内でない場合、トークンを更新することなく他の移動通信装置へ無線により提供する。
【００２３】
従って、移動体の移動に伴って、予め定められた範囲外からその範囲内に位置した（進入した）移動通信装置１０は、その位置に応じてその範囲内に位置する他の移動通信装置１０（又は路側装置２０）からトークンを受信することが可能となっている。
【００２４】
これにより、その範囲内に位置した（進入した）移動通信装置１０は、外部サーバなどへアクセスすることなく、その予め定められた範囲に関するコンテンツなどの所定コンテンツ取得先アドレス、又はその所定コンテンツ自体を取得することが可能となっている。
【００２５】
以下の実施形態においては、移動通信装置１０が車両に搭載される車載器１０である例について説明する。
（本システム概略システム構成）
図２は、本システムを構成する車載器１０と路側装置２０の概略構成を説明するための図である。
【００２６】
車載器１０は、車両に搭載され、車両の移動に伴って移動し、その位置に応じて他の車載器１０（又は路側装置２０）との間で、トークンなどのパケットを送受信する機能を有する装置である。
【００２７】
図２左側に示すように、車載器１０は、その全体の動作を司るＣＰＵなどの制御部１１、その制御部１１にバスなどを介して接続された、メモリ１２、地図データベース１３、記憶装置１４、無線通信装置１５、及びＧＰＳ受信機を含む現在位置検出手段１６などを備えている。
【００２８】
メモリ１２は、ＲＡＭなどの読み書き可能なメモリであり、制御部１１により実行される各種のプログラムやデータ、あるいは作業用のファイルなどが必要に応じて書き込まれ
、消去される。
【００２９】
地図データベース１３は、予め定められた範囲を特定するためのデータ（例えば特定地域の境界線を定義する座標列データ）を格納したものである。例えば、車載のいわゆるカーナビゲーションシステムにおいて用いられている地図データにこのデータを含ませることが考えられる。
【００３０】
記憶装置１４は、車載器１０の各種機能を実現するための各種プログラムやデータなどが記録された、例えば、ハードディスク装置（又はＲＯＭ）などの記憶装置である。
【００３１】
無線通信装置１５は、他の車載器１０（又は路側装置２０）との間で、無線ＬＡＮ(Local Area Network)やＤＳＲＣ(Dedicated Short Range Communications)などの、無線によるデータ通信を行うための装置である。無線通信装置１５は、車両の移動に伴って移動し、その位置に応じて（電波到達範囲に位置した）他の車載器１０（又は路側装置２０）との間で、トークンなどのパケットを送受信する。
【００３２】
路側装置２０は、路側に固定設置され、車載器１０との間で、トークンなどのパケットを送受信する機能を有する装置である。
【００３３】
図２右側に示すように、路側装置２０は、その全体の動作を司るＣＰＵなどの制御部２１、その制御部２１にバスなどを介して接続された、インターネット通信部２２、トークン生成部２３、記憶装置２４、及び無線通信装置２５などを備えている。
【００３４】
インターネット通信部２２は、インターネットに接続して各種サーバへアクセスし、各種データ（映像ファイルや音楽ファイルやプログラムファイルなど）を取得するための装置である。
【００３５】
トークン生成部２３は、トークンを生成するためのものであり、例えば、制御部２１が所定プログラムを実行することにより実現される。図３に、トークンの構成例を示す。
【００３６】
図３に示すように、トークンは、予め定められた範囲内に位置する車載器１０間で送受信されることを目的として提供されるパケットである。トークンはそのヘッダ部分（又はオプショナルデータ部分など）にその予め定められた範囲を特定するためのデータ（例えば特定地域の境界線を定義する座標列データ）を含む。これはトークンの移動範囲を表す。トークンはさらに、ＩＤ、位置、時刻、保有コンテンツ、データ種別、及び付与情報などの項目を含む。これらの項目は、トークンを受信した車載器１０において書き込まれる（追加書き込み）。図３は、すでに２つの車載器１０（同図中上段及び中段が相当）を経由し、各々の車載器１０において各項目が書き込まれたトークンを、３つめの車載器１０（同図中下段が相当）が受信した例を示す。
【００３７】
次にトークンに含まれるＩＤ、位置、時刻、保有コンテンツ、データ種別、及び付与情報などの各項目について説明する。
【００３８】
ＩＤには、トークンを受信した車載器１０のネットワーク上のアドレス（又は車載器１０、あるいは車載器１０が搭載されている車両を識別するための情報など）が格納される。トークンを受信した車載器１０はこのＩＤに格納されたアドレスにアクセスして所定コンテンツを取得することになる（トークンが所定コンテンツ自体を含まない場合）。位置には、トークンを受信した車載器１０（又は車載器１０が搭載されている車両）の位置を特定するための情報が格納される。時刻には、トークンの送受信に関する時刻、例えば、トークンの受信時刻、又はトークンの送信時刻が格納される。保有コンテンツには、トー
クンを受信した車載器１０のコンテンツ保有の有無を識別するための情報（又はコンテンツ自体）が格納される。データ種別には、保有コンテンツ有りの場合、その保有コンテンツのデータ種別が格納される。付与情報には、例えば、保有コンテンツが有りの場合、その保有コンテンツに関する解説情報が格納される。
【００３９】
記憶装置２４は、路側装置２０の各種機能を実現するための各種プログラムやデータなどが記録された、例えば、ハードディスク装置（又はＲＯＭ）などの記憶装置である。
【００４０】
無線通信装置２５は、車載器１０との間で、無線ＬＡＮやＤＳＲＣなどの、無線によるデータ通信を行うための装置である。無線通信装置２５は、（電波到達範囲に位置した）車載器１０との間で、トークンなどのパケットを送受信する。
【００４１】
次に、上記構成の通信システムの動作について図面を参照しながら説明する。
【００４２】
図４は、本実施形態の通信システムの動作例を説明するためのフローチャートである。図４は、説明簡略化のために、２つの車両Ａ、車両Ｂ（いずれも車載器１０が搭載されている）、及び路側装置（図４中固定局として表す）２０の相互間の通信シーケンスを表す。  
【００４３】
図４に示すように、路側装置２０においては、その無線通信装置２５が所定タイミングで（例えば周期的又は設定時間ごと）電波を送信し（Ｓ１０）、これを受信した車載器１０から応答が返されるのを待つ（Ｓ１１）。
【００４４】
車両Ａに搭載された車載器１０においては、車両Ａの移動に伴って移動し、その位置に応じて（路側装置２０の電波到達範囲に位置した場合）その無線通信装置１５が、路側装置２０からの電波を受信し、受信応答、及びトークンの送信要求を、路側装置２０に向けて（路側装置２０に受信されることを目的として）送信する（Ｓ１２）。
【００４５】
路側装置２０においては、車両Ａに搭載された車載器１０からの受信応答、及びトークンの送信要求を受信すると（Ｓ１１：Ｙｅｓ）、そのトークン生成部２３がトークンをパケットの形態で生成する。トークンは、そのヘッダ部分（又はオプショナルデータ部分など）にその予め定められた範囲を特定するためのデータ（例えば特定地域の境界線を定義する座標列データ）を含む。
【００４６】
そして、路側装置２０においては、先ほど生成したトークン（図４中エリア内Tokenと記す。）を、その無線通信装置２５が車両Ａに搭載された車載器１０に向けて（車両Ａに搭載された車載器１０に受信されることを目的として）送信する（Ｓ１３）。
【００４７】
車両Ａに搭載された車載器１０においては、その無線通信装置１５が、路側装置２０からのトークンを受信し、以後、図４中点線枠＜Ａ＞で囲んだ処理を開始する。
【００４８】
具体的には、車両Ａに搭載された車載器１０においては、路側装置２０からのトークンを受信すると、位置判断を行う（Ｓ１４）。これは、車両Ａに搭載された車載器１０（の現在位置）が先ほど受信したトークンの移動範囲内（トークンのヘッダ部分などに含まれる予め定められた範囲）に位置するか否かの判断である。例えば、トークンのヘッダ部分などに含まれる予め定められた範囲を特定するためのデータ（例えば特定地域の境界線を定義する座標列データ）と、車両Ａに搭載された車載器１０に接続された現在位置検出手段１６により検出された現在位置と、を比較することで判断する。なお、この判断は、制御部１１が所定プログラムを実行することにより実現される。
【００４９】
その結果、車両Ａに搭載された車載器１０が先ほど受信したトークンの移動範囲内に位置しないと判断された場合（Ｓ１４：Ｎｏ）、車両Ａに搭載された車載器１０においては、その無線通信装置１５が所定タイミングで（例えば周期的又は設定時間ごと）電波を送信し（Ｓ１７）、これを受信した他の車載器１０（ここでは車両Ｂに搭載された車載器１０）から応答が返されるのを待つ（Ｓ１９）。
【００５０】
車両Ｂに搭載された車載器１０においては、車両Ｂの移動に伴って移動し、その位置に応じて（車両Ａに搭載された車載器１０の電波到達範囲に位置した場合）その無線通信装置１５が、車両Ａに搭載された車載器１０からの電波を受信し、受信応答、及びトークンの送信要求を、その車両Ａに搭載された車載器１０に向けて（車両Ａに搭載された車載器１０に受信されることを目的として）送信する（Ｓ１８）。
【００５１】
そして、車両Ａに搭載された車載器１０においては、先ほど路側装置２０から受信したトークン（図４中エリア内Tokenと記す。）をそのまま（更新することなく）車両Ｂに搭載された車載器１０に向けて（車両Ｂに搭載された車載器１０に受信されることを目的として）送信する（Ｓ２０）。
【００５２】
以後、車両Ｂに搭載された車載器１０は、図４中、点線枠で囲んだ処理（Ｓ１４からＳ２０）を開始する。
【００５３】
一方、Ｓ１４の判断の結果、車両Ａに搭載された車載器１０が先ほど受信したトークンの移動範囲内に位置すると判断された場合（Ｓ１４：Ｙｅｓ）、さらにトークン比較を行う（Ｓ１５）。これは、今回受信したトークンと同一のトークンを過去に受信したことがあるか否かの判断である。例えば、今回受信したトークンと過去に受信したトークンとについて、それぞれのデータ量を比較することにより判断する。あるいは、今回受信したトークンに含まれるＩＤと過去に受信したトークンに含まれるＩＤ（記憶装置１４などに格納しておく）と自己が保持するＩＤとを比較することにより判断する。
【００５４】
その結果、今回受信したトークンと同一のトークンを過去に受信したことがあると判断されなかった場合（Ｓ１５：Ｎｏ）、車両Ａに搭載された車載器１０において、トークン内容を更新する（Ｓ１６）。例えば、トークンに、自己のＩＤ、位置、時刻、保有コンテンツ、データ種別、及び付与情報などを書き込む。あるいは、これらの項目のいずれかを変更、削除する場合もあり得る。そして、車両Ａに搭載された車載器１０においては、その無線通信装置１５が所定タイミングで（例えば周期的又は設定時間ごと）電波を送信し（Ｓ１７）、これを受信した他の車載器１０から応答が返されるのを待つ（Ｓ１９）。
【００５５】
車両Ｂに搭載された車載器１０においては、車両Ｂの移動に伴って移動し、その位置に応じて（車両Ａに搭載された車載器１０の電波到達範囲に位置した場合）その無線通信装置１５が、車両Ａに搭載された車載器１０からの電波を受信し、受信応答、及びトークンの送信要求を、その車両Ａに搭載された車載器１０に向けて（車両Ａに搭載された車載器１０に受信されることを目的として）送信する（Ｓ１８）。
【００５６】
そして、車両Ａに搭載された車載器１０においては、先ほどＳ１６で更新したトークン（図４中エリア内Tokenと記す。）を車両Ｂに搭載された車載器１０に向けて（車両Ｂに搭載された車載器１０に受信されることを目的として）送信する（Ｓ２０）。
【００５７】
以後、車両Ｂに搭載された車載器１０は、図４中、点線枠で囲んだ処理（Ｓ１４からＳ２０）を開始する。
【００５８】
一方、Ｓ１５の判断の結果、今回受信したトークンと同一のトークンを過去に受信した
ことがあると判断された場合（Ｓ１５：Ｙｅｓ）、車載器１０においては、その無線通信装置１５が所定タイミングで（例えば周期的又は設定時間ごと）電波を送信し（Ｓ１７）、これを受信した車両Ｂに搭載された車載器１０から応答が返されるのを待つ（Ｓ１９）。
【００５９】
車両Ｂに搭載された車載器１０においては、車両Ｂの移動に伴って移動し、その位置に応じて（車両Ａに搭載された車載器１０の電波到達範囲に位置した場合）その無線通信装置１５が、車両Ａに搭載された車載器１０からの電波を受信し、受信応答、及びトークンの送信要求を、その車両Ａに搭載された車載器１０に向けて（車両Ａに搭載された車載器１０に受信されることを目的として）送信する（Ｓ１８）。
【００６０】
そして、車両Ａに搭載された車載器１０においては、先ほど路側装置２０から受信したトークン（図４中エリア内Tokenと記す。）をそのまま（更新することなく）車両Ｂに搭載された車載器１０に向けて（車両Ｂに搭載された車載器１０に受信されることを目的として）送信する（Ｓ２０）。
【００６１】
以後、車両Ｂに搭載された車載器１０は、図４中、点線枠で囲んだ処理（Ｓ１４からＳ２０）を開始する。
【００６２】
上記のように、各車載器１０において、図４中点線枠で囲んだ処理（Ｓ１４からＳ２０）が行われている間、路側装置２０においては、トークン自局戻り時間がカウントされ（Ｓ２１）、この時間が予め定められた制限値ＸＸを超えたか否かが判定される（Ｓ２２）。そして、トークン時局戻り時間が予め定められた制限値ＸＸを超えたと判定された場合（Ｓ２２：Ｙｅｓ）、路側装置２０においては、その無線通信装置２５が所定タイミングで（例えば周期的又は設定時間ごと）電波を送信し（Ｓ１０）、これを受信した車載器１０から応答が返されるのを待つ（Ｓ１１）。
【００６３】
以後、Ｓ１２からＳ２２の処理が実行される。
【００６４】
以上説明したように、本実施形態の移動通信システムによれば、予め定められた範囲内に位置する車両（Ａ、Ｂなど）に搭載された車載器１０間で送受信されることを目的として提供されるトークンが用いられる。このトークンは、これを受信した各車載器１０において、一定条件の下で更新される。例えば、トークンに所定コンテンツ取得先アドレス又は所定コンテンツ自体が書き込まれる（更新例）。
【００６５】
従って、各車載器１０においては、このトークンを受信することで、所定コンテンツ取得先アドレス又は所定コンテンツ自体を取得できる。所定コンテンツを取得するために、センター側サーバへ問い合わせる必要はない。
【００６６】
上記実施形態はあらゆる点で単なる例示にすぎない。このため、本発明は上記実施形態に限定して解釈されるものではない。すなわち、本発明は、その精神または主要な特徴から逸脱することなく、他の様々な形で実施することができる。
【産業上の利用可能性】
【００６７】
本発明によれば、各々の車両に搭載された車載器などの移動通信装置（通信ノード）において、センター側サーバへ問い合わせることなく、効率よく情報取得することが可能となる。
【図面の簡単な説明】
【００６８】
【図１】本発明の実施形態である移動通信システムの概略システム構成である。
【図２】本発明の実施形態である移動通信システムのハード構成である。
【図３】トークンの例示である。
【図４】本発明の実施形態である移動通信システムの動作を説明するためのフローチャートである。
【符号の説明】
【００６９】
１０      車載器
１１      制御部
１２      メモリ
１３      地図ＤＢ
１４      記憶装置
１５      無線通信装置
１６      位置検出手段
２０      固定装置
２１      制御部
２２      インターネット通信部
２３      トークン生成部
２４      記憶装置
２５      無線通信装置
【図１】
2005269415.tif 000003
【図２】
2005269415.tif 000004
【図３】
2005269415.tif 000005
【図４】
2005269415.tif 000006